(57)【要約】【課題】墨等が筆記面となる表面から裏面へ染み出しにくく、かつ筆記性も確保できる和紙からなる筆記用紙を提供する。【解決手段】筆記面となる表面が裏面よりも平滑性に優れた和紙からなる筆記用紙４ａ、４ｂに対して、その裏面にシリコン、フッ素、酸化チタン、シリカ、ベンゾフェノンおよび固形パラフィンのうちの少なくとも１種をそれぞれ５０質量％以下の範囲で含み、乾燥剤、定着剤および消臭剤をそれぞれ２５質量％以下の範囲で含む撥水層６’を印刷した構成とすることにより、素材となる和紙の組成を通常と同じものとして筆記性を確保しながら、表面から染み込んだ墨等の裏面からの染み出しを防止できるようにした。【選択図】図２
2019130720.tif 000002
【特許請求の範囲】
【請求項１】
筆記面となる表面が裏面よりも平滑性に優れ、その表面に水性の液体で筆記される和紙からなる筆記用紙において、前記裏面に撥水層またはインキ層が印刷されていることを特徴とする筆記用紙。
【請求項２】
前記撥水層が、シリコン、フッ素、酸化チタン、シリカ、ベンゾフェノンおよび固形パラフィンのうちの少なくとも１種をそれぞれ５０質量％以下の範囲で含み、乾燥剤、定着剤および消臭剤をそれぞれ２５質量％以下の範囲で含むことを特徴とする請求項１に記載の筆記用紙。
【請求項３】
蛇腹状に形成された記帳部を備え、その記帳部の各折目の間の部分が裏面どうし貼り合わされた２枚の筆記用紙からなる筆記帳において、前記裏面どうし貼り合わされる２枚の筆記用紙の少なくとも一方に、請求項１または２に記載の筆記用紙が用いられていることを特徴とする筆記帳。
【発明の詳細な説明】
【技術分野】
【０００１】
本発明は、表面に墨等の水性の液体で筆記される和紙からなる筆記用紙と、その筆記用紙を用いた筆記帳に関する。
【背景技術】
【０００２】
和紙は、水分の吸収性に優れ、墨等の水性の液体（以下、単に「墨等」とも称する。）で筆記するのに適した素材であるが、その抄造方法の特性により裏面に繊維が露出しているので、裏面よりも平滑性に優れ書きやすく滲みの少ない表面が筆記面とされ、表面に筆記した墨等が染み出してくる裏面は筆記用とならない。
【０００３】
このため、例えば、和紙からなる筆記用紙を用いた筆記帳の一種である朱印帳では、一般に、筆記用紙２枚をそれぞれの裏面どうしが対向する状態で重ねて貼り合せたもの（以下、この構造を「二重構造」と称する。）を蛇腹状に形成して記帳部とすることにより、記帳部の表裏両側から筆記できるようにしている（例えば、特許文献１参照。）。
【先行技術文献】
【特許文献】
【０００４】
【特許文献１】実用新案登録第３２０５７９１号公報（図１）
【発明の概要】
【発明が解決しようとする課題】
【０００５】
ところで、和紙からなる筆記用紙を机等の台の上に置いて墨等で筆記するときには、通常、筆記用紙の裏面に染み出した墨等が筆記用紙を置いた台の表面を汚さないように、筆記用紙と台表面の間に防汚手段としての下敷きを挟み込むようにしている。
【０００６】
また、上記のように記帳部を二重構造とした筆記帳でも、筆記時に使用される墨等の量によっては、筆記した方の筆記用紙の裏面からもう一方の筆記用紙の表面まで墨等が染み出して、記帳部の表裏両側を筆記面として使用できなくなるおそれがあるので、筆記用紙どうしの間に下敷きを差し込む場合が多い。
【０００７】
しかし、下敷き自体は墨等で汚れることになるので、複数枚の筆記用紙に連続して筆記する場合は、下敷きの方から墨等が付着して廃棄される筆記用紙の枚数が多くなったり、筆記作業の途中での下敷きの交換によって作業時間が長くなったりする。また、繰り返し使用する下敷きは再使用できる状態にして保管しておく必要があり、この下敷きの管理が面倒に感じられることが多い。
【０００８】
一方、和紙の性状の面からは、墨筆で筆記する際の書きやすさ（筆記性）やにじみ程度を調整するために配合される耐水性物質（サイズ剤：ニカワ、ロジン、デンプン、合成樹脂等）の量を多くすれば、墨等が筆記用紙へ染み込みにくくなるので、筆記用紙の裏面への墨等の染み出しが抑えられ、下敷きなしでも筆記用紙の裏面と接触している台等の表面が汚れにくくなる。
【０００９】
しかしながら、和紙の耐水性物質の配合量を多くすると、筆記性が低下するうえ、墨等が乾くまでの時間が長くなり、筆記後の筆記用紙をすぐに折り畳めないという問題が生じるようになる。
【００１０】
そこで、本発明は、墨等が筆記面となる表面から裏面へ染み出しにくく、かつ筆記性も確保できる和紙からなる筆記用紙とそれを用いた筆記帳を提供することを課題とする。
【課題を解決するための手段】
【００１１】
上記の課題を解決するために、本願の第１の発明は、筆記面となる表面が裏面よりも平滑性に優れ、その表面に水性の液体で筆記される和紙からなる筆記用紙において、前記裏面に撥水層またはインキ層が印刷されている構成を採用した。
【００１２】
上記の構成によれば、筆記用紙の素材となる和紙の組成を通常と同じものとして筆記性を確保しながら、筆記用紙の表面から染み込んだ墨等の水性の液体を裏面に印刷した撥水層またはインキ層で遮って、裏面から染み出さないようにすることができる。
【００１３】
ここで、前記撥水層は、シリコン、フッ素、酸化チタン、シリカ、ベンゾフェノンおよび固形パラフィンのうちの少なくとも１種をそれぞれ５０質量％以下の範囲で含み、乾燥剤、定着剤および消臭剤をそれぞれ２５質量％以下の範囲で含むものとすることができ、その含有物質の種類や含有量は印刷方式に応じて適宜設定すればよい。
【００１４】
そして、本願の第２の発明は、蛇腹状に形成された記帳部を備え、その記帳部の各折目の間の部分が裏面どうし貼り合わされた２枚の筆記用紙からなる筆記帳において、前記裏面どうし貼り合わされる２枚の筆記用紙の少なくとも一方に、第１の発明の筆記用紙が用いられている構成としたものである。
【発明の効果】
【００１５】
上述したように、本願の第１の発明の筆記用紙は、その裏面に撥水層またはインキ層を印刷したものであるから、素材となる和紙の組成を通常と同じものとして筆記性を確保しながら、表面から染み込んだ墨等の水性の液体の裏面からの染み出しを防止できるものとなり、従来の下敷き等の防汚手段を不要とすることができる。
【００１６】
したがって、この筆記用紙に墨等で筆記するときは、下敷きなしでも筆記用紙を置く台等の汚れに気を遣うことなく自由に書画を表現できる。また、複数枚の筆記用紙に連続して筆記する場合は、下敷きの交換がなくなる分、従来よりも筆記作業の時間を短縮できるし、下敷きから墨等が付着して廃棄される筆記用紙の枚数を低減できる利点もある。
【００１７】
また、本願の第２の発明の筆記帳は、二重構造で蛇腹状の記帳部の各折目の間の部分を形成する２枚の筆記用紙の少なくとも一方に、第１の発明の筆記用紙を用いたものであるから、筆記した方の筆記用紙からもう一方の筆記用紙へ墨等が染み出すおそれがなく、その２枚の筆記用紙の間に下敷きを挟み込まなくても、記帳部の表裏両側を確実に筆記面として使用することができる。
【図面の簡単な説明】
【００１８】
【図１】実施形態の筆記用紙を用いた筆記帳を一部開いた状態の外観斜視図
【図２】図１のII−II線に沿った要部拡大断面図
【図３】図１の筆記用紙の折り曲げ工程の概略説明図
【図４】（ａ）、（ｂ）は、それぞれ図３の折り曲げ工程の途中の筆記用紙を表面側および裏面側から見た斜視図
【図５】図３の折り曲げ工程に続く重ね合わせ工程の概略説明図
【図６】図５の重ね合わせ工程における下流側給送装置付近の筆記用紙の縦断面図
【図７】図５の重ね合わせ工程に続く仕上げ断裁工程における切断位置の説明図
【図８】図７の仕上げ断裁工程に続く接着工程の説明図
【図９】図８のIX−IX線に沿った要部拡大断面図
【図１０】図８の接着工程後の筆記用紙を開いた状態を示す要部の斜視図
【発明を実施するための形態】
【００１９】
以下、図面に基づき、本発明の実施形態を説明する。図１および図２は実施形態の筆記用紙を用いた筆記帳を示す。この筆記帳は、神社や寺院で朱印を筆記してもらう朱印帳として使用されるものであり、図１に示すように、表表紙１と裏表紙２の間に、蛇腹状に形成され、墨や朱墨等の水性の液体で筆記される記帳部３を有している。その表表紙１および裏表紙２は、厚手の台紙や木製の板材の表面に意匠性のある紙を貼り付けたものが用いられる。一方、記帳部３は、蛇腹状に折り曲げられた２枚の帯状の筆記用紙４ａ、４ｂを重ね合わせて接着したもので、その長手方向両端部がそれぞれ表表紙１および裏表紙２の裏面に貼り付けられている。
【００２０】
この実施形態の２枚の帯状の筆記用紙４ａ、４ｂは、筆記面となる表面が裏面よりも平滑性に優れる長尺の和紙（「巻き取り和紙」と呼ばれる。）を素材として用いたもので、図１および図２に示すように、それぞれ長手方向に直交する方向の折目が所定間隔で生じるように蛇腹状に折り曲げられ、その筆記面（表面）を外側にして重ね合わされた状態で、幅方向端部（図１の上端部および下端部）どうしを天糊５により接着されている。
【００２１】
また、図示は省略するが、各筆記用紙４ａ、４ｂは、折目の位置にミシン目が設けられており、後述するように記帳部３を製作する際に、折り曲げやすく、かつ折り曲げ加工後の形状復元が抑えられるようになっている。
【００２２】
また、図２に示すように、各筆記用紙４ａ、４ｂは、両方の表面の幅方向両端部、および両方の裏面のうちの幅方向両端部を除く全体に、撥水層６、６’が印刷されている。なお、各筆記用紙４ａ、４ｂの裏面の幅方向両端部に撥水層を印刷していないのは、筆記用紙４ａ、４ｂの幅方向端部どうしを直接接触させて天糊５で確実に接着するためである。
【００２３】
ここで、撥水層６、６’は、シリコン、フッ素、酸化チタン、シリカ、ベンゾフェノンおよび固形パラフィンのうちの少なくとも１種をそれぞれ５０質量％以下の範囲で含み、乾燥剤、定着剤および消臭剤をそれぞれ２５質量％以下の範囲で含むものとなっている。その印刷方法は、凸版、平版、凹版、孔版、インクジェット方式の中から適宜選択すればよい。また、いずれの印刷方法でも、重ね印刷すれば、手間はかかるが、隙間が少なく撥水性に優れたものとすることができる。一方、１回の印刷で撥水層６、６’を形成する場合は、同じ厚さに重ね印刷した場合に比べて、乾燥に時間がかかるうえ隙間が生じやすく撥水性に劣るが、手間がかからない分、製作コストを低減できる。なお、撥水層を印刷する代わりに、塗工機で撥水層６、６’を塗る方法を採用することもできる。塗工機を用いれば、印刷機を用いる場合よりも厚く、隙間の少ない撥水層６、６’を容易に形成することができる。
【００２４】
次に、この筆記帳の記帳部３の製作方法について説明する。記帳部３の製作にあたっては、まず、巻き取り和紙からなる筆記用紙４ａ、４ｂを蛇腹状に折り曲げる。この折り曲げ工程は、図３に示すように、巻き取り機１１にロール状に巻かれている筆記用紙４ａ（４ｂ）を引き出して、その表裏面への撥水加工（撥水層６、６’の印刷）を行う第１加工部１２（表面加工部１２ａおよび裏面加工部１２ｂ）、幅方向両端部へのパンチ孔加工を行う第２加工部１３および幅方向のミシン目加工を行う第３加工部１４に通し、その後にスイング装置１５により蛇腹状に折り曲げて、所定長さ毎に折り畳んだ状態で工程間搬送用のケース１６に収容するものである。
【００２５】
ここで、筆記用紙４ａ（４ｂ）は、第３加工部１４を通過した時点で、図４（ａ）、（ｂ）に示すように、幅方向両端部に長手方向に並ぶパンチ孔７があけられ、長手方向に等間隔で幅方向のミシン目８が形成されている。また、表面には幅方向両側のパンチ孔７のそれぞれよりも幅方向内側に所定幅で撥水層６が形成され、裏面には表面の幅方向両側の撥水層６の形成位置よりも幅方向内側の全体に撥水層６’が形成されている。そして、スイング装置１５に送られると、自重と筆記用紙４ａ（４ｂ）を挟んだスイング装置１５の揺動とによって、ミシン目８の位置で蛇腹状に折り曲げられるようになっている。
【００２６】
図５は折り曲げ工程に続く重ね合わせ工程を示す。この重ね合わせ工程では、折り曲げ工程で蛇腹状に折り曲げられた筆記用紙４ａ、４ｂを、給送装置１７ａ、１７ｂによりケース１６から引き出し、それぞれの表面を外側にして（裏面どうしを対向させて）重ね合わせた後、折り曲げ工程と同様にスイング装置１５により蛇腹状に折り曲げて、折り畳んだ状態で別のケース１６に収容する。
【００２７】
ここで、各給送装置１７ａ、１７ｂは、図５および図６に示すように、筆記用紙４ａ、４ｂの幅方向両側のパンチ孔７に係合するスプロケット１８を回転させることにより、筆記用紙４ａ、４ｂをスイング装置１５へ送り出すものである。そして、下流側の給送装置１７ｂでは、スプロケット１８が２枚の筆記用紙４ａ、４ｂのパンチ孔７に同時に係合するので、両方の筆記用紙４ａ、４ｂのミシン目８の位置（折り曲げ位置）を精度よく一致させることができる。これにより、重ね合わされた状態でスイング装置１５に送られた筆記用紙４ａ、４ｂが、ばらけることなくスムーズに蛇腹状に折り曲げられる。
【００２８】
このように重ね合わされて蛇腹状に折り曲げられた筆記用紙４ａ、４ｂは、重ね合わせ工程に続く仕上げ断裁工程において、折り畳まれた状態のまま、図７に二点鎖線で示す切断位置で切断されることにより、パンチ孔７のあけられた幅方向両端部が切り捨てられて、幅方向長さが所定寸法となり、表面側の撥水層６が幅方向両端部に位置するように仕上げられる。
【００２９】
図８および図９は仕上げ断裁工程に続く接着工程を示す。この接着工程では、折り畳まれた状態で所定寸法に断裁された筆記用紙４ａ、４ｂを、上下から直方体状のブロック体１９ａ、１９ｂで挟んで折り畳み方向に圧縮し、この状態で幅方向端面（仕上げ断裁工程での切断面）に天糊５を塗布して乾燥させる。このとき、天糊５が各筆記用紙４ａ、４ｂの表面側へある程度入り込んだとしても、天糊５の筆記用紙４ａ、４ｂ自体の表面への浸透は各筆記用紙４ａ、４ｂの表面側の撥水層６によって阻止され、天糊５と撥水層６との結合力も小さいので、各筆記用紙４ａ、４ｂの互いに対向する表面どうしが強く面接着されることはない。
【００３０】
そして、接着工程後に、上下のブロック体１９ａ、１９ｂの間から取り出した筆記用紙４ａ、４ｂをゆっくりと開く（長手方向に引っ張る）。すると、接着工程では各筆記用紙４ａ、４ｂの互いに対向する表面どうしが強く面接着されていないので、図１０に示すように、両方の筆記用紙４ａ、４ｂの裏面どうしが接着されたまま、各筆記用紙４ａ、４ｂの互いに対向する表面どうしがスムーズに引き剥がされて、二重構造で蛇腹状の記帳部３ができあがる。
【００３１】
この筆記帳は、上記の構成であり、記帳部３を形成する２枚の筆記用紙４ａ、４ｂの両方の裏面に撥水層６’が印刷されているので、筆記した方の筆記用紙からもう一方の筆記用紙へ墨等が染み出すおそれがなく、その２枚の筆記用紙４ａ、４ｂの間に下敷きを挟み込まなくても、記帳部３の表裏両側を確実に筆記面として使用することができる。なお、撥水層６’を印刷するのは、２枚の筆記用紙４ａ、４ｂのいずれか一方の裏面のみでもよい。
【００３２】
ここで、筆記用紙４ａ、４ｂの素材となる和紙の裏面性状（平滑度合い）や寸法は抄紙機の種類によって種々異なるが、それに応じた印刷方式、印刷に用いるロールのメッシュ（線数）や深度、重ね印刷の回数等を適切に選択することにより、筆記用紙４ａ、４ｂの裏面に隙間が少なく撥水性に優れた撥水層６’を形成して、裏面からの墨等の染み出しを確実に防止できるようになる。
【００３３】
なお、各筆記用紙４ａ、４ｂの表面側の撥水層６は天糊５の筆記用紙４ａ、４ｂ自体の表面への浸透を阻止するものであり、裏面側の撥水層６’は両筆記用紙４ａ、４ｂの間で墨等が移るのを防止するためのものであるから、それぞれ同じ作用を生じるインキ層に代えることもできる。ここで、インキ層は、顔料密度の高い色を高濃度で印刷することにより、撥水層に類似する性能が得られるようになる。そして、白色を水性フレキソ印刷により高濃度で印刷すれば、一方の筆記用紙に筆記した墨等がもう一方の筆記用紙の表面から透けて見えることのない筆記帳とすることができる。また、表面側の撥水層６（またはインキ層）を省略すれば、筆記用紙４ａ、４ｂの表面が幅方向端まで筆記可能となる。
【００３４】
また、本発明の筆記帳は、実施形態のような蛇腹状の記帳部を備えたもののほか、表裏を同じ向きにして重ねた筆記用紙の一辺を綴じた筆記帳にも適用することができる。
【００３５】
そして、本発明の筆記用紙は、筆記帳に用いられるものに限らず、筆記面となる表面が裏面よりも平滑性に優れ、その表面に水性の液体で筆記される和紙からなる筆記用紙に、効果的に適用することができる。また、実施形態のような巻き取り和紙からなる筆記用紙のほか、シート状の和紙からなる筆記用紙にももちろん適用可能である。
【符号の説明】
【００３６】
１  表表紙
２  裏表紙
３  記帳部
４ａ、４ｂ  筆記用紙
５  天糊
６、６’  撥水層
７  パンチ孔
８  ミシン目
【図１】
2019130720.tif 000003
【図２】
2019130720.tif 000004
【図３】
2019130720.tif 000005
【図４】
2019130720.tif 000006
【図５】
2019130720.tif 000007
【図６】
2019130720.tif 000008
【図７】
2019130720.tif 000009
【図８】
2019130720.tif 000010
【図９】
2019130720.tif 000011
【図１０】
2019130720.tif 000012